(57)【要約】【課題】高多値においても安定した高い復調性能を実現可能な搬送波再生回路を提供する。【解決手段】理想点と適応等化器３の出力信号との誤差に基づくアルゴリズムで、適応等化器３に対するタップ係数を更新する第１のタップ更新部３１と、理想点を中心に等距離に配置された複数の仮理想点のなかから、所定の規則に従って選択した仮理想点と、適応等化器３の出力信号との誤差に基づくアルゴリズムで、適応等化器３に対するタップ係数を更新する第２のタップ更新部３２と、所定の条件に基づいて第１のタップ更新部３１または第２のタップ更新部３２の一方のタップ係数を適応等化器３に出力する切替部３４と、を備える。【選択図】図３
2020048083.tif 000002
【特許請求の範囲】
【請求項１】
入力信号の位相を回転する第１の位相回転器と、
前記第１の位相回転器によって位相が回転された入力信号である位相回転信号の周波数特性を補償する適応等化器と、
前記適応等化器によって補償された位相回転信号に含まれる位相誤差を検出する位相誤差検出器と、
前記位相誤差に基づいて位相回転制御信号を生成する回転信号生成部と、
前記位相回転制御信号に基づいて前記入力信号の位相を回転する第２の位相回転器と、
理想点と前記適応等化器の出力信号との誤差に基づくアルゴリズムで、前記適応等化器に対するタップ係数を更新する第１のタップ更新部と、
前記理想点を中心に等距離に配置された複数の仮理想点のなかから、所定の規則に従って選択した仮理想点と、前記適応等化器の出力信号との誤差に基づくアルゴリズムで、前記適応等化器に対するタップ係数を更新する第２のタップ更新部と、
所定の条件に基づいて前記第１のタップ更新部または前記第２のタップ更新部の一方のタップ係数を前記適応等化器に出力する切替部と、
を備え、前記第１の位相回転器は、前記位相回転制御信号に基づいて前記入力信号の位相を回転する、
ことを特徴とする搬送波再生回路。
【請求項２】
前記第２のタップ更新部は、前記複数の仮理想点のうち前記適応等化器の出力信号から最も遠くに位置する仮理想点を選択する、
ことを特徴とする請求項１に記載の搬送波再生回路。
【請求項３】
前記切替部は、前記適応等化器の出力信号の電力レベルに基づいて、前記一方のタップ係数を前記適応等化器に出力する、
ことを特徴とする請求項１または２のいずれか１項に記載の搬送波再生回路。
【請求項４】
入力信号の位相を回転する第１の位相回転器と、
前記第１の位相回転器によって位相が回転された入力信号である位相回転信号の周波数特性を補償する適応等化器と、
前記適応等化器によって補償された位相回転信号に含まれる位相誤差を検出する位相誤差検出器と、
前記位相誤差に基づいて位相回転制御信号を生成する回転信号生成部と、
前記位相回転制御信号に基づいて前記入力信号の位相を回転する第２の位相回転器と、
理想点と該理想点を中心に等距離に配置された複数の仮理想点とのなかから、所定の規則に従って選択した前記理想点または前記仮理想点と、前記適応等化器の出力信号との誤差に基づくアルゴリズムで、前記適応等化器に対するタップ係数を更新するタップ更新部と、
を備え、前記第１の位相回転器は、前記位相回転制御信号に基づいて前記入力信号の位相を回転する、
ことを特徴とする搬送波再生回路。
【請求項５】
前記タップ更新部は、前記理想点と前記複数の仮理想点のなかからランダムに、前記理想点または前記仮理想点を選択する、
ことを特徴とする請求項４に記載の搬送波再生回路。
【発明の詳細な説明】
【技術分野】
【０００１】
本発明は、デジタル無線伝送において搬送波・受信波を再生する搬送波再生回路に関する。
【背景技術】
【０００２】
近年、無線トラフィックが増々増加しており、周波数利用の高効率化の観点からデジタル無線伝送においては、高多値ＱＡＭ（Ｑｕａｄｒａｔｕｒｅ  Ａｍｐｌｉｔｕｄｅ  Ｍｏｄｕｌａｔｉｏｎ、直角位相振幅変調）方式による高速伝送の要求が高まっている。この高多値ＱＡＭ方式では、送信装置や受信装置において生じる搬送波の位相ノイズ（位相誤差）などによって、復調性能が劣化する場合がある。このため、位相ノイズと熱雑音の影響度に基づいて復調性能（ビット誤り率）を向上させる、という搬送波再生回路が知られている（例えば、特許文献１参照。）。
【０００３】
この搬送波再生回路は、位相誤差検出器が検出する位相誤差と振幅誤差検出器が検出する振幅誤差とに基づいて、ループフィルタ制御部がループフィルタの帯域幅を制御することで、位相ノイズや熱雑音に応じた適切な帯域幅に設定し、復調性能を向上させる、というものである。
【先行技術文献】
【特許文献】
【０００４】
【特許文献１】特開２０１１−１０１１７７号公報
【発明の概要】
【発明が解決しようとする課題】
【０００５】
ところで、高多値化変調においては、搬送波・キャリア再生の位相誤差検出範囲が著しく狭くなる。すなわち、低多値の場合には、隣接する理想点間の距離が大きいため位相誤差検出範囲が広いが、高多値の場合には、隣接する理想点間の距離が小さいため位相誤差検出範囲が狭くなる。そして、位相誤差検出範囲が著しく狭くなるため、位相ノイズ環境下で図１０に示すような位相ジッタ（位相の揺らぎ）が増加する状況になると、搬送波再生の同期外れに至る可能性がある。
【０００６】
この結果、従来のように、判定指向アルゴリズムのみでタップ係数を更新した場合に、意図しない信号点配置に収束してしまう事象が生じてしまう。すなわち、図１１に示すように、位相回転した出力信号点（図中黒丸）が理想信号点・基準信号点（図中白丸）の枠Ｆ１からはみ出た場合、はみ出た部分Ｐ１の出力信号点がこの枠Ｆ１に入るようにタップ係数が更新される。この結果、図１２に示すように、出力信号点群が小さく収束して電力が低減する。そして、このようなタップ係数の更新を繰り返すことで、例えば図１３に示すように、理想信号点を中心にして４つの出力信号点が集約するように収束してしまう（信号点配置サイズが小さい状態で最適状態に陥る）事象が生じる。
【０００７】
一方、特許文献１に記載の搬送波再生回路では、熱雑音の軽減を優先するか、位相ノイズの軽減を優先するかによって、高多値時の搬送波再生ループの諸元を切り替えるものであり、高多値化に伴う位相誤差検出範囲の低下による不安定動作については考慮されていないため、低Ｃ／Ｎ環境における復調器の安定動作を実現することが困難であった。
【０００８】
そこで本発明は、高多値においても安定した高い復調性能を実現可能な搬送波再生回路を提供することを目的とする。
【課題を解決するための手段】
【０００９】
上記課題を解決するために、請求項１に記載の発明は、入力信号の位相を回転する第１の位相回転器と、前記第１の位相回転器によって位相が回転された入力信号である位相回転信号の周波数特性を補償する適応等化器と、前記適応等化器によって補償された位相回転信号に含まれる位相誤差を検出する位相誤差検出器と、前記位相誤差に基づいて位相回転制御信号を生成する回転信号生成部と、前記位相回転制御信号に基づいて前記入力信号の位相を回転する第２の位相回転器と、理想点と前記適応等化器の出力信号との誤差に基づくアルゴリズムで、前記適応等化器に対するタップ係数を更新する第１のタップ更新部と、前記理想点を中心に等距離に配置された複数の仮理想点のなかから、所定の規則に従って選択した仮理想点と、前記適応等化器の出力信号との誤差に基づくアルゴリズムで、前記適応等化器に対するタップ係数を更新する第２のタップ更新部と、所定の条件に基づいて前記第１のタップ更新部または前記第２のタップ更新部の一方のタップ係数を前記適応等化器に出力する切替部と、を備え、前記第１の位相回転器は、前記位相回転制御信号に基づいて前記入力信号の位相を回転する、ことを特徴とする搬送波再生回路である。
【００１０】
請求項２に記載の発明は、請求項１に記載の搬送波再生回路において、前記第２のタップ更新部は、前記複数の仮理想点のうち前記適応等化器の出力信号から最も遠くに位置する仮理想点を選択する、ことを特徴とする。
【００１１】
請求項３に記載の発明は、請求項１または２に記載の搬送波再生回路において、前記切替部は、前記適応等化器の出力信号の電力レベルに基づいて、前記一方のタップ係数を前記適応等化器に出力する、ことを特徴とする。
【００１２】
請求項４に記載の発明は、入力信号の位相を回転する第１の位相回転器と、前記第１の位相回転器によって位相が回転された入力信号である位相回転信号の周波数特性を補償する適応等化器と、前記適応等化器によって補償された位相回転信号に含まれる位相誤差を検出する位相誤差検出器と、前記位相誤差に基づいて位相回転制御信号を生成する回転信号生成部と、前記位相回転制御信号に基づいて前記入力信号の位相を回転する第２の位相回転器と、理想点と該理想点を中心に等距離に配置された複数の仮理想点とのなかから、所定の規則に従って選択した前記理想点または前記仮理想点と、前記適応等化器の出力信号との誤差に基づくアルゴリズムで、前記適応等化器に対するタップ係数を更新するタップ更新部と、を備え、前記第１の位相回転器は、前記位相回転制御信号に基づいて前記入力信号の位相を回転する、ことを特徴とする搬送波再生回路である。
【００１３】
請求項５に記載の発明は、請求項４に記載の搬送波再生回路において、前記タップ更新部は、前記理想点と前記複数の仮理想点のなかからランダムに、前記理想点または前記仮理想点を選択する、ことを特徴とする。
【発明の効果】
【００１４】
請求項１および４に記載の発明によれば、適応等化器で周波数特性が補償された位相回転信号の位相誤差に基づいて、位相回転制御信号が生成され入力信号の位相が回転されるため、フェージングによる波形歪がある場合でも、搬送波の位相ノイズを高精度に推定して高い復調性能・搬送波再生を実現することが可能となる。さらに、適応等化器で位相回転信号の周波数特性が補償されるため、熱雑音の影響も軽減することが可能となる。
【００１５】
また、理想点のみならず、該理想点を中心に等距離に配置された複数の仮理想点と、適応等化器の出力信号との誤差に基づいて適応等化器に対するタップ係数が更新されるため、適応等化器から安定した出力を得ることが可能となる。すなわち、１つの理想点のみでは意図しない信号点配置に収束してしまうおそれがあり、また、仮理想点のみでは信号点配置の正確な配置までは収束できないおそれがあるが、理想点と仮理想点とを併用してタップ係数を更新することで、安定した適応等化器出力を得ることが可能となる。この結果、高精度かつ安定した復調性能・搬送波再生を実現することが可能となる。
【００１６】
請求項２に記載の発明によれば、第２のタップ更新部においては、適応等化器の出力信号から最も遠い仮理想点と、適応等化器の出力信号との誤差、つまり、最も大きい誤差に基づいてタップ係数が更新されるため、意図しない信号点配置に収束してしまうのをより効果的に防止することが可能となる。
【００１７】
請求項３に記載の発明によれば、適応等化器の出力信号の電力レベルに基づいて、理想点に基づいてタップ係数を更新するか仮理想点に基づいてタップ係数を更新するかが切り替えられるため、適応等化器の出力電力レベルに適したアルゴリズムでタップ係数を更新して、安定した適応等化器出力を得ることが可能となる。
【００１８】
請求項５に記載の発明によれば、ランダムに選択された理想点または仮理想点と、適応等化器の出力信号との誤差に基づいてタップ係数が更新されるため、１つの理想点または仮理想点に固定されることで意図しない信号点配置に収束してしまうのを、簡易な構成で効果的に防止することが可能となる。
【図面の簡単な説明】
【００１９】
【図１】この発明の実施の形態１に係る搬送波再生回路を示す概略構成ブロック図である。
【図２】図１の搬送波再生回路を備えるマイクロ波無線システムを示す概略構成図である。
【図３】図１の搬送波再生回路の適応等化器周辺を示す概略構成ブロック図である。
【図４】図１の搬送波再生回路において、受信信号と理想点との位置関係例を示す図である。
【図５】図１の搬送波再生回路における理想点と仮理想点の配置関係を示す図である。
【図６】図１の搬送波再生回路の第２のタップ更新部によるタップ更新方法を示す説明図である。
【図７】図６の第２のタップ更新部によるタップ更新用誤差を示す図である。
【図８】この発明の実施の形態２に係る搬送波再生回路の適応等化器周辺を示す概略構成ブロック図である。
【図９】図８の搬送波再生回路における理想点と仮理想点の配置関係を示す図である。
【図１０】この発明において、高多値化による位相ジッタが生じた状態を示す概念図である。
【図１１】この発明において、１つの理想点のみに基づいてタップ更新した場合の第１の信号状態を示す概念図である。
【図１２】図１１に続く第２の信号状態を示す概念図である。
【図１３】図１２に続く第３の信号状態を示す概念図である。
【発明を実施するための形態】
【００２０】
以下、この発明を図示の実施の形態に基づいて説明する。
【００２１】
（実施の形態１）
図１〜図７は、この実施の形態を示し、図１は、この実施の形態に係る搬送波再生回路１を示す概略構成ブロック図である。この搬送波再生回路１は、デジタル無線伝送において搬送波を再生する回路であり、図２に示すマイクロ波無線システムの受信装置１０２に設けられている。ここで、マイクロ波無線システムについてまず簡単に説明すると、送信装置１０１においてマッピングおよび変調された送信信号がアナログ変換され、搬送波Ｗ１で乗算されてアンテナから送信される。そして、マルチパスフェージング環境を経て受信装置１０２のアンテナで受信されると、搬送波Ｗ２で乗算され、周波数変換されたのち、ＡＤＣでデジタル変換され、搬送波再生回路１で復調されてデマッピングされるものである。
【００２２】
搬送波再生回路１は、主として、第１の位相回転器２と、適応等化器３と、位相誤差検出器４と、ＬＰＦ５と、ＮＣＯ（回転信号生成部）６と、第２の位相回転器７と、等化器８と、を備える。
【００２３】
第１の位相回転器２は、入力信号の位相を回転する回転器・乗算器であり、後述するＮＣＯ６の位相回転制御信号に基づいて入力信号の位相を回転する。具体的には、デジタル信号に変換されたＩチャネルのベースバンド信号およびＱチャネルのベースバンド信号の各々に対して、ＮＣＯ６の位相回転制御信号の正弦波および余弦波に基づいて位相回転を行うものである。
【００２４】
適応等化器３は、第１の位相回転器２によって位相が回転された入力信号である位相回転信号の周波数特性を補償する、つまり、位相回転信号の波形歪やデータ誤りを解消する等化器である。ここで、適応等化器３は、判定帰還型等化器（ＤＦＥ：Ｄｅｃｉｓｉｏｎ  Ｆｅｅｄｂａｃｋ  Ｅｑｕａｌｉｚｅｒ）や線形等化器で構成され、後述するようにして、タップ係数を更新するようになっている。
【００２５】
位相誤差検出器４は、適応等化器３によって補償された位相回転信号に含まれる位相誤差を検出する検出器である。具体的な検出方法は周知の技術であり、例えば、送受信装置１０１、１０２間で用いられる変調方式の信号点配列のなかから、出力信号に応じた信号点を選択し、選択した信号点の座標と入力信号点の座標とを比較して、位相誤差値を算出する。
【００２６】
ＬＰＦ５は、位相誤差検出器４で検出された位相誤差の高周波成分を、所定の帯域幅に応じて除去するフィルタであり、ローパスフィルタ（Ｌｏｗ  Ｐａｓｓ  Ｆｉｌｔｅｒ）で構成されている。
【００２７】
ＮＣＯ６は、ＬＰＦ５で高周波成分が除去された位相誤差に基づいて、位相回転制御信号を生成する生成部であり、ＮＣＯ（Ｎｕｍｅｒｉｃａｌｌｙ  Ｃｏｎｔｒｏｌｌｅｄ  Ｏｓｃｉｌｌａｔｏｒ、数値制御発振器）で構成されている。具体的には、ＬＰＦ５からの位相誤差に基づいて逆位相の正弦波および余弦波を生成し、第１の位相回転器２に出力することで、第１の位相回転器２による位相回転を制御するものである。さらに、生成した位相回転制御信号を第２の位相回転器７に出力する。
【００２８】
第２の位相回転器７は、入力信号の位相を回転する回転器・乗算器であり、ＮＣＯ６からの位相回転制御信号に基づいて入力信号の位相を回転して、周波数特性を補償する等化器８に出力する。すなわち、適応等化器３によって周波数特性補償（波形歪等が解消）されて検出された位相誤差に基づくＮＣＯ６からの正弦波および余弦波に基づいて、入力信号の位相を回転する。このように、搬送波再生ループ（第１の位相回転器２、位相誤差検出器４、ＬＰＦ５およびＮＣＯ６のループ）のなかに適応等化器３が実装されており、これにより、周波数特性を補償した後に推定した位相誤差値に基づいて、入力信号の位相ノイズをキャンセルする。
【００２９】
次に、適応等化器３に対するタップ係数の更新方法について説明する。この実施の形態では、図３に示すように、適応等化器３に対してタップ係数メモリ３０と、第１のタップ更新部３１と、第２のタップ更新部３２と、電力検出器（切替部）３３と、タップ係数切替器（切替部）３４と、を備える。タップ係数メモリ３０は、後述するタップ係数切替器３４からのタップ係数を記憶するメモリであり、記憶されたタップ係数を第１のタップ更新部３１と第２のタップ更新部３２に入力する。
【００３０】
第１のタップ更新部３１は、理想点（基準信号）と適応等化器３の出力信号との誤差に基づくアルゴリズム（通常の判定指向アルゴリズム）で、適応等化器３に対するタップ係数を更新する（タップ係数メモリ３０から入力されたタップ係数を更新する）更新部である。すなわち、図４に示すような受信信号（出力信号）Ｓと理想点Ｒとの位置関係の場合に、最小平均二乗誤差（ＭＭＳＥ：Ｍｉｎｉｍｕｍ  Ｍｅａｎ  Ｓｑｕａｒｅ  Ｅｒｒｏｒ）を規範とする判定指向アルゴリズムを利用して、出力信号と基準信号との誤差電力が最小になるようにタップ係数を算出、更新するものであり、判定指向アルゴリズムとして、ＬＭＳ（Ｌｅａｓｔ  Ｍｅａｎ  Ｓｑｕａｒｅ）アルゴリズムやＲＬＳ（Ｒｅｃｕｒｓｉｖｅ  Ｌｅａｓｔ  Ｓｑｕａｒｅ）アルゴリズムが採用される。
【００３１】
第２のタップ更新部３２は、理想点Ｒを中心に等距離に配置された複数の仮理想点Ｋのなかから、所定の規則に従って選択した仮理想点Ｋと、適応等化器３の出力信号との誤差に基づくアルゴリズムで、適応等化器３に対するタップ係数を更新する更新部である。この際、複数の仮理想点Ｋのうち適応等化器３の出力信号から最も遠くに位置する仮理想点Ｋを選択して、タップ係数を更新する。
【００３２】
具体的にこの実施の形態では、図５に示すように、理想点Ｒが正四角形の中心になるように４つの仮理想点Ｋが該正四角形の角部に配置されている。ここで、全領域において隣接する仮理想点Ｋ間の距離が同一になるように、仮理想点Ｋが配置されている。このように配置された仮理想点Ｋのうち、適応等化器３の出力信号（受信信号）Ｓから最も遠くに位置する仮理想点Ｋを選択する。例えば、図６に示すような出力信号Ｓの場合、出力信号Ｓに最も近い仮理想点Ｋは第１の仮理想点Ｋ１であり、この第１の仮理想点Ｋ１の対角に位置する（理想点Ｒを中心に点対象な）第３の仮理想点Ｋ３を最も遠くに位置する仮理想点Ｋとして選択する。このような選択を図７に示すように全領域において行い、選択した仮理想点Ｋと適応等化器３の出力信号Ｓとのタップ更新用誤差に基づいて、第１のタップ更新部３１と同様にして判定指向アルゴリズムでタップ係数を更新する。
【００３３】
電力検出器３３とタップ係数切替器３４は、所定の条件に基づいて第１のタップ更新部３１または第２のタップ更新部３２の一方のタップ係数を適応等化器３に出力する切替部であり、この実施の形態では、適応等化器３の出力信号Ｓの電力レベルに基づいて、一方のタップ係数を適応等化器３に出力する。具体的には、電力検出器３３において、適応等化器３の出力信号Ｓの電力レベルを検出し、その検出結果に基づいて、タップ更新部３１、３２のどちらのタップ係数を採用するかを示す「切替」信号をタップ係数切替器３４に伝送する。これを受けてタップ係数切替器３４においてスイッチを切り替え、第１のタップ更新部３１あるいは第２のタップ更新部３２のタップ係数を適応等化器３に出力する。
【００３４】
ここで、どのような電力レベル（検出結果）のときに、第１のタップ更新部３１または第２のタップ更新部３２に切り替えるかは、適応等化器３の特性や所望の精度などに基づいて適宜設定される。例えば、通常時は第１のタップ更新部３１のタップ係数を出力し、電力レベルが所定の閾値以下に達した場合に第２のタップ更新部３２に切り替える。
【００３５】
以上のように、この搬送波再生回路１によれば、適応等化器３で周波数特性が補償（波形歪等が解消）された位相回転信号の位相誤差に基づいて、位相回転制御信号が生成され入力信号の位相が回転されるため、フェージングによる波形歪がある場合でも、搬送波の位相ノイズを高精度に推定（位相誤差検出器４で検出）して高い復調性能・搬送波再生を実現することが可能となる。さらに、適応等化器３で位相回転信号の周波数特性が補償されるため、熱雑音の影響も軽減することが可能となる。
【００３６】
また、理想点Ｒのみならず、該理想点Ｒを中心に等距離に配置された複数の仮理想点Ｋと、適応等化器３の出力信号Ｓとの誤差に基づいて適応等化器３に対するタップ係数が更新されるため、適応等化器３から安定した出力を得ることが可能となる。すなわち、１つの理想点Ｒのみでは意図しない信号点配置に収束してしまうおそれがあり、また、仮理想点Ｋのみでは信号点配置の正確な配置までは収束できないおそれがある。しかしながら、理想点Ｒと仮理想点Ｋとを併用してタップ係数を更新することで、安定した適応等化器出力を得ることが可能となる。
【００３７】
具体的には、適応等化器３の出力信号Ｓの電力レベルに基づいて、理想点Ｒに基づいてタップ係数を更新するか仮理想点Ｋに基づいてタップ係数を更新するかが切り替えられるため、適応等化器３の出力電力レベルに適したアルゴリズムでタップ係数を更新して、安定した適応等化器出力を得ることが可能となる。この結果、高精度かつ安定した復調性能・搬送波再生を実現することが可能となる。
【００３８】
しかも、第２のタップ更新部３２においては、適応等化器３の出力信号Ｓから最も遠い仮理想点Ｋと、適応等化器３の出力信号Ｓとの誤差、つまり、最も大きいタップ更新用誤差に基づいてタップ係数が更新されるため、意図しない信号点配置に収束してしまうのをより効果的に防止することが可能となる。
【００３９】
（実施の形態２）
図８は、この実施の形態に係る搬送波再生回路１の適応等化器３周辺を示す概略構成ブロック図である。この実施の形態では、タップ係数を更新するタップ更新部３５が実施の形態１と構成が異なり、実施の形態１と同等の構成については、同一符号を付することでその説明を省略する。
【００４０】
タップ更新部３５は、理想点Ｒと該理想点Ｒを中心に等距離に配置された複数の仮理想点Ｋとのなかから、所定の規則に従って選択した理想点Ｒまたは仮理想点Ｋと、適応等化器３の出力信号Ｓとの誤差に基づくアルゴリズムで、適応等化器３に対するタップ係数を更新する更新部である。この際、理想点Ｒと複数の仮理想点Ｋのなかからランダムに、理想点Ｒまたは仮理想点Ｋを選択する。
【００４１】
具体的にこの実施の形態では、図９に示すように、理想点Ｒが円の中心になるように６つの仮理想点Ｋ１〜Ｋ６が円周上に配置されている。ここで、全領域において各理想点Ｒに対する仮理想点Ｋ１〜Ｋ６の距離が同一になるように、仮理想点Ｋが配置されている。そして、このように配置された仮理想点Ｋ１〜Ｋ６と理想点Ｒのなかから、無作為・ランダムに１つの理想点Ｒまたは仮理想点Ｋを選択する。次に、選択した理想点Ｒまたは仮理想点Ｋと適応等化器３の出力信号Ｓとのタップ更新用誤差に基づいて、判定指向アルゴリズムでタップ係数を更新する。
【００４２】
例えば、理想点Ｒが選択された場合、理想点Ｒと適応等化器３の出力信号Ｓとのタップ更新用誤差に基づいてタップ係数を更新し、次に、仮理想点Ｋ３が選択された場合、仮理想点Ｋ３と適応等化器３の出力信号Ｓとのタップ更新用誤差に基づいてタップ係数を更新する。このように、タップ係数の更新時ごとに、タップ更新用誤差の基準となる理想点Ｒおよび仮理想点Ｋがランダムに変わるものである。
【００４３】
このような実施の形態によれば、実施の形態１と同様に、理想点Ｒと仮理想点Ｋとを併用してタップ係数を更新するため、安定した適応等化器出力を得ることが可能となり、その結果、高精度かつ安定した復調性能・搬送波再生を実現することが可能となる。しかも、ランダムに選択された理想点Ｒまたは仮理想点Ｋと、適応等化器３の出力信号Ｓとの誤差に基づいてタップ係数が更新されるため、１つの理想点Ｒまたは仮理想点Ｋに固定されることで意図しない信号点配置に収束してしまうのを、簡易な構成で効果的に防止することが可能となる。
【００４４】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態１では、適応等化器３の出力信号Ｓの電力レベルに基づいて、理想点Ｒに基づいてタップ係数を更新するか仮理想点Ｋに基づいてタップ係数を更新するかを切り替えているが、位相の揺らぎ（位相回転）に基づいて切り替えたり、所定時間ごとに切り替えたりしてもよい。
【００４５】
同様に、上記の実施の形態２では、ランダムに理想点Ｒまたは仮理想点Ｋを選択しているが、規則的に選択するようにしてもよい。例えば、理想点Ｒを複数回選択した後に第１の仮理想点Ｋ１を選択し、次に、理想点Ｒを複数回選択した後に第２の仮理想点Ｋ２を選択する、というように、常時は理想点Ｒを選択して所定の間隔で仮理想点Ｋ１〜Ｋ６を順次選択するようにしてもよい。
【００４６】
１        搬送波再生回路
２        第１の位相回転器
３        適応等化器
３０      タップ係数メモリ
３１      第１のタップ更新部
３２      第２のタップ更新部
３３      電力検出器（切替部）
３４      タップ係数切替器（切替部）
３５      タップ更新部
４        位相誤差検出器
５        ＬＰＦ
６        ＮＣＯ（回転信号生成部）
７        第２の位相回転器
８        等化器
Ｓ        出力信号（受信信号）
Ｒ        理想点
Ｋ        仮理想点
【図１】
2020048083.tif 000003
【図２】
2020048083.tif 000004
【図３】
2020048083.tif 000005
【図４】
2020048083.tif 000006
【図５】
2020048083.tif 000007
【図６】
2020048083.tif 000008
【図７】
2020048083.tif 000009
【図８】
2020048083.tif 000010
【図９】
2020048083.tif 000011
【図１０】
2020048083.tif 000012
【図１１】
2020048083.tif 000013
【図１２】
2020048083.tif 000014
【図１３】
2020048083.tif 000015